(57)【要約】      （修正有）【課題】取付け作業時にしわが生じるのを防止することができるとともに、作業者が接着剤や粘着剤の塗布作業が不要な、取扱いが容易な押し花飾用防湿シートを用いて長期間密封状態に保って、押し花が変色したりするのを長期間防止することができる押し花飾および押し花飾用防湿シートを提供する。【解決手段】アルミ箔３、このアルミ箔３の外側面にコーティングあるいは貼着固定された柔軟性を有する樹脂フィルム層４、前記アルミ箔３の内側面に塗布された接着剤や粘着剤５とからなる押し花飾用防湿シート７と、この押し花飾用防湿シート７の外周部を除く部位の接着剤や粘着剤５によって固定された台紙８と、この台紙８上に配置された押し花９と、この押し花９を覆い、外周部が前記押し花飾用防湿シート７の外部の接着剤や粘着剤５によって密封状態で固定される防湿性の透明板１１とで押し花飾１を構成している。【選択図】  図６
2004330463.tif 000002
【特許請求の範囲】
【請求項１】
アルミ箔、このアルミ箔の外側面にコーティングあるいは貼着固定された柔軟性を有する樹脂フィルム層、前記アルミ箔の内側面に塗布された接着剤や粘着剤とからなる押し花飾用防湿シートと、この押し花飾用防湿シートの外周部を除く部位の接着剤や粘着剤によって固定された台紙と、この台紙上に配置された押し花と、この押し花を覆い、外周部が前記押し花飾用防湿シートの外周部の接着剤や粘着剤によって密封状態で固定される防湿性の透明板とからなることを特徴とする押し花飾。
【請求項２】
アルミ箔、このアルミ箔の外側面にコーティングあるいは貼着固定された柔軟性を有する樹脂フィルム層、前記アルミ箔の内側面に塗布された接着剤や粘着剤、前記アルミ箔の外側面の外周部寄りの部位を枠状に覆うように接着あるいは粘着固定されたしわ防止板とからなる押し花飾用防湿シートと、この押し花飾用防湿シートの外周部を除く部位の接着剤や粘着剤によって乾燥剤等とともに固定された台紙と、この台紙上に配置された押し花と、この押し花を覆いかつ外周部が前記押し花飾用防湿シートの外周部の接着剤や粘着剤によって密封状態で固定される防湿性の透明板とからなることを特徴とする押し花飾。
【請求項３】
アルミ箔、このアルミ箔の外側面にコーティングあるいは貼着固定された柔軟性を有する樹脂フィルム層、前記アルミ箔の内側面に塗布された接着剤や粘着剤とからなる押し花飾用防湿シートと、この押し花飾用防湿シートの外周部を除く部位の接着剤や粘着剤によって乾燥剤等とともに固定された固定面が小面積となるように外周部が傾斜面の台紙と、この台紙上に配置された押し花と、この台紙上に配置された押し花を覆いかつ外周部が前記押し花飾用防湿シートの外周部の接着剤や粘着剤によって、密封状態で固定される防湿性の透明板とからなることを特徴とする押し花飾。
【請求項４】
アルミ箔、このアルミ箔の外側面にコーティングあるいは貼着固定された柔軟性を有する樹脂フィルム層、前記アルミ箔の内側面に塗布された接着剤や粘着剤、前記アルミ箔の外側面の外周部寄りの部位を枠状に覆うように接着あるいは粘着固定されたしわ防止板とからなる押し花飾用防湿シートと、この押し花飾用防湿シートの外周部を除く部位の接着剤や粘着剤によって固定された固定面が小面積となるように外周部が傾斜面の台紙と、この台紙上に配置された押し花と、この台紙上に配置された押し花を覆いかつ外周部が前記押し花飾用防湿シートの外周部の接着剤や粘着剤によって、密封状態で固定される防湿性の透明板とからなることを特徴とする押し花飾。
【請求項５】
アルミ箔と、このアルミ箔の外側面にコーティングあるいは貼着固定された柔軟性を有する樹脂フィルム層と、前記アルミ箔の内側面に塗布された接着剤や粘着剤と、この接着剤や粘着剤の塗布面を覆う剥離シートとからなることを特徴とする押し花飾用防湿シート。
【請求項６】
アルミ箔と、このアルミ箔の外側面にコーティングあるいは貼着固定された柔軟性を有する樹脂フィルム層と、前記アルミ箔の内側面に塗布された接着剤や粘着剤と、前記アルミ箔の外側面の外周部寄りの部位を枠状に覆うように接着あるいは粘着固定されたしわ防止板と、この接着剤や粘着剤の塗布面を覆う剥離シートとからなることを特徴とする押し花飾用防湿シート。
【発明の詳細な説明】
【０００１】
【発明の属する技術分野】
本発明は押し花を額縁等に収納して飾ることができる押し花飾および押し花飾用防湿シートに関する。
【０００２】
【従来の技術】
従来の押し花飾はアルミ箔等の防湿シート本体、この防湿シート本体の下面外周部に該防湿シート本体の外周部にしわが生じないように接着剤や粘着剤で枠状に固定されたしわ防止板とからなる押し花飾用防湿シートと、この押し花飾用防湿シートの上面に、該押し花飾用防湿シートのしわ防止板の内側部位に外周部が位置する台紙と、この台紙上に配置された押し花と、前記押し花飾用防湿シートの上部を覆い、該押し花飾用防湿シートのしわ防止板と対応する部位で接着剤や粘着剤によって密封状態で固定されたガラス板とで構成されている。
【０００３】
［特許文献］    特開２００２−１０３８９６
【０００４】
【発明が解決しようとする課題】
従来の押し花飾は内部に台紙や押し花が配置されたガラス板の外周部と対応する部位のアルミ箔の外周部に接着剤を塗布して、該塗布した接着剤でガラス板の外周部とアルミ箔の外周部とを接着固定しているので、アルミ箔が柔らかく、接着剤の塗布作業でアルミ箔にしわを生じさせたり、接着時にしわが生じたりして長期間密封状態に保つことができないという欠点があった。
【０００５】
本発明は以上のような従来の欠点に鑑み、アルミ箔を用いた押し花飾用防湿シートの取付け作業時にしわが生じるのを確実に防止することができるとともに、作業者が接着剤や粘着剤の塗布作業が不要な、取扱いが容易な押し花飾用防湿シートを用いて長期間密封状態に保って、押し花が変色したりするのを長期間防止することができる押し花飾および押し花飾用防湿シートを提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００７】
【課題を解決するための手段】
上記目的を達成するために、本発明はアルミ箔、このアルミ箔の外側面にコーティングあるいは貼着固定された柔軟性を有する樹脂フィルム層、前記アルミ箔の内側面に塗布された接着剤や粘着剤とからなる押し花飾用防湿シートと、この押し花飾用防湿シートの外周部を除く部位の接着剤や粘着剤によって固定された台紙と、この台紙上に配置された押し花と、この押し花を覆い、外周部が前記押し花飾用防湿シートの外周部の接着剤や粘着剤によって密封状態で固定される防湿性の透明板とで押し花飾を構成している。
【０００８】
また、本発明はアルミ箔と、このアルミ箔の外側面にコーティングあるいは貼着固定された柔軟性を有する樹脂フィルム層と、前記アルミ箔の内側面に塗布された接着剤や粘着剤と、この接着剤や粘着剤の塗布面を覆う剥離シートとで押し花飾用防湿シートを構成している。
【０００９】
【発明の実施の形態】
以下、図面に示す実施の形態により、本発明を詳細に説明する。
【００１０】
図１ないし図９に示す本発明の第１の実施の形態において、１は額縁２に収納して飾ることができる本発明の押し花飾で、この押し花飾１は長方形状のアルミ箔３、このアルミ箔３の外側面にコーティングあるいは貼着固定された柔軟性を有する塩化ビニール、オレフィン等の樹脂フィルム層４、前記アルミ箔３の内側面に塗布された接着剤や粘着剤５と、この塗布された接着剤や粘着剤５を使用するまで覆う剥離紙６とからなる押し花飾用防湿シート７と、この押し花飾用防湿シート７の剥離紙６を除去し、外周部を除く部位の接着剤や粘着剤５によって固定された固定面が小面積となるように外周部が傾斜面８ａの長方形状の台紙８と、この台紙８上に立体的に配置された押し花９と、この押し花９の外周部を必要に応じて覆うように前記台紙８および前記押し花飾用防湿シート７の外周部を除く部位上に配置された、前記台紙８を切り抜いたときに生じる、あるいは別に製造したものを使用した枠板１０と、この枠板１０の上部、あるいは前記押し花９の上部を覆い、外周部が前記押し花飾用防湿シート７の外周部の接着剤や粘着剤５によって、密封状態で固定される防湿処理されたアクリル板やガラスを用いた透明あるいは半透明の透明板１１とで構成されている。
なお。本発明の実施の形態では押し花飾用防湿シート７と台紙８との間に脱酸素剤や乾燥剤を介装させたり、台紙８に脱酸素剤や乾燥剤を塗布したものを用いても良い。
【００１１】
上記構成の押し花飾１はアルミ箔３の外側面に柔軟性を有する樹脂フィルム層４が形成されているため、使用時にしわが生じるのを効率よく阻止して、透明板１１の外周部と押し花飾用防湿シート７の外周部とを、該押し花飾用防湿シート７に塗布された接着剤や粘着剤５で固定できる。
このため、従来のようにしわが生じた部分より空気が入り込み、押し花を変色させたりする不具合を効率よく防止できるとともに、使用者はしわを生じさせてはいけない部分に接着剤や粘着剤５の塗布作業が不要で、気軽に楽な作業で完全密封することができる押し花飾を作ることができる。
【００１２】
【発明の異なる実施の形態】
次に、図１０ないし図２６に示す本発明の異なる実施の形態につき説明する。なお、これらの本発明の異なる実施の形態の説明に当って、前記本発明の第１の実施の形態と同一構成部分には同一符号を付して重複する説明を省略する。
【００１３】
図１０ないし図１３に示す本発明の第２の実施の形態において、前記本発明の第１の実施の形態と主に異なる点は、アルミ箔３の外側面の外周部寄りの透明板１１との接着あるいは粘着面となる部位に、アルミ箔３にしわが生じるのを防止するしわ防止板１２を枠状に接着あるいは粘着固定した押し花飾用防湿シート７Ａを用いた点で、このような押し花飾用防湿シート７Ａを用いて構成した押し花飾１Ａにしても、前記本発明の第１の実施の形態と同様な作用効果が得られるとともに、しわ防止板１２によって押し花飾用防湿シート７Ａの透明板１１への接着あるいは粘着面にしわが生じるのを、さらに効率よく阻止することができるとともに、接着あるいは粘着面を押し圧する場合に、しわ防止板１２を押し圧することができ、該作業時にアルミ箔を損傷させる事故も確実に防止することができる。
【００１４】
図１４ないし図１７に示す本発明の第３の実施の形態において、前記本発明の第２の実施の形態と主に異なる点は、押し花飾用防湿シート７Ａと台紙８との間に脱酸素剤１３と乾燥剤１４を介装させるとともに、押し花飾用防湿シート７Ａに接着や粘着される面が小面積となるように、外周部を傾斜面１０ａに形成した枠板１０Ａを用いた点で、このように構成した押し花飾１Ｂにすることにより、前記本発明の第２の実施の形態と同様な効果が得られるとともに、押し花飾用防湿シート７Ａと台紙８、枠板１０Ａの外周部に隙間が生じるのを確実に防止することができる。
【００１５】
図１８ないし図２０に示す本発明の第４の実施の形態において、前記本発明の第１の実施の形態と主に異なる点は、透明板１１と押し花飾用防湿シート７とを接着や粘着固定する場合に、押し花飾用防湿シート７のアルミ箔３の外側面の外周部寄りの部位にしわ防止板１２を枠状に接着や粘着固定し、該しわ防止板１２を介して押し花飾用防湿シート７の接着剤や粘着剤５を透明板１１に押し圧して固定した点で、このように構成した押し花飾１Ｃにしても、前記本発明の第１の実施の形態と同様な作用効果が得られる。
【００１６】
図２１ないし図２３に示す本発明の第５の実施の形態において、前記本発明の第１の実施の形態と主に異なる点は、少なくともアルミ箔３の内側面の外周部の上面に接着剤や粘着剤５を塗布した押し花飾用防湿シート７Ｂを用いるとともに、立体的でない押し花９Ａを台紙８上に配置し、枠板を用いることなく透明板１１と押し花飾用防湿シート７Ｂの外周部とを接着や粘着固定した点で、このように構成した押し花飾１Ｄにしてもよい。
なお、本発明の実施の形態では枠板を額縁に取付ける場合に防湿性の透明板の外側面に配置して使用しても良い。
【００１７】
図２４ないし図２６に示す本発明の第６の実施の形態において、前記本発明の第１の実施の形態と主に異なる点は、楕円形状の押し花飾用防湿シート７Ｃ、台紙８Ａ、枠板１０Ｂおよび透明板１１Ａを用いた点で、このように構成した押し花飾１Ｅにしてもよい。
なお、本発明の実施の形態では楕円形状に形成したものについて説明したが、本発明はこれに限らず、正八角形、五角状等の多角形状や円形状、半円形状、半楕円形状に形成してもよい。
【００１８】
【発明の効果】
以上の説明から明らかなように、本発明にあっては次に列挙する効果が得られる。
【００１９】
（１）アルミ箔、このアルミ箔の外側面にコーティングあるいは貼着固定された柔軟性を有する樹脂フィルム層、前記アルミ箔の内側面に塗布された接着剤や粘着剤とからなる押し花飾用防湿シートと、この押し花飾用防湿シートの外周部を除く部位の接着剤や粘着剤によって固定された台紙と、この台紙上に配置された押し花と、この押し花を覆い、外周部が前記押し花飾用防湿シートの外周部の接着剤や粘着剤によって密封状態で固定される防湿性の透明板とで構成されているので、押し花飾用防湿シートの柔軟性を有する樹脂フィルム層によってアルミ箔にしわが生じたり、損傷するのを効率よく防止することができる。
したがって、従来のようにしわが生じて空気が入り込み、押し花が変色したりする不具合を効率よく防止して、長期間変色等を防止することができる。
【００２０】
（２）前記（１）によって、接着剤や粘着剤が塗布された押し花飾用防湿シートを用いているので、接着剤や粘着剤の塗布作業を行なうことなく、使用することができる。
したがって、接着剤や粘着剤の塗布作業中にアルミ箔にしわが生じたり、損傷させる事故を防止することができるとともに、簡単で、楽に押し花飾用防湿シートと透明板とを接着や粘着固定することができる。
【００２１】
（３）請求項２も前記（１）、（２）と同様な効果が得られるとともに、しわ防止板によって、押し花飾用防湿シートの外周部にしわが生じるのを効率よく防止することができ、かつ押し花飾用防湿シートと透明板との接着や粘着固定時にしわ防止板を押し圧して行なうことにより、アルミ箔の損傷事故を確実に防止することができる。
【００２２】
（４）請求項３も前記（１）〜（３）と同様な効果が得られるとともに、台紙の外周部と押し花飾用防湿シートとの間に隙間が生じるのを確実に防止できるとともに、従来のように台紙のエッヂ部に何かが当っても、アルミ箔が損傷したりする事故を確実に防止することができる。
【００２３】
（５）請求項４、５も前記（１）、（２）と同様な効果が得られる。
【図面の簡単な説明】
【図１】本発明の第１の実施の形態の使用状態の説明図。
【図２】図１の２−２線に沿う断面図。
【図３】本発明の第１の実施の形態の正面図。
【図４】本発明の第１の実施の形態の背面図。
【図５】本発明の第１の実施の形態の平面図。
【図６】図３の６−６線に沿う断面図。
【図７】本発明の第１の実施の形態の押し花飾用防湿シートの説明図。
【図８】本発明の第１の実施の形態の台紙の説明図。
【図９】本発明の第１の実施の形態の枠板の説明図。
【図１０】本発明の第２の実施の形態の正面図。
【図１１】本発明の第２の実施の形態の背面図。
【図１２】図１０の１２−１２線に沿う断面図。
【図１３】本発明の第２の実施の形態の押し花飾用防湿シートの説明図。
【図１４】本発明の第３の実施の形態の正面図。
【図１５】本発明の第３の実施の形態の背面図。
【図１６】図１４の１６−１６線に沿う断面図。
【図１７】本発明の第３の実施の形態の枠板の説明図。
【図１８】本発明の第４の実施の形態の正面図。
【図１９】図１８の１９−１９線に沿う断面図。
【図２０】本発明の第４の実施の形態のしわ防止板の取付け状態の説明図。
【図２１】本発明の第５の実施の形態の正面図。
【図２２】本発明の第５の実施の形態の背面図。
【図２３】図２１の２３−２３線に沿う断面図。
【図２４】本発明の第６の実施の形態の正面図。
【図２５】本発明の第６の実施の形態の背面図。
【図２６】図２４の２６−２６線に沿う断面図。
【符号の説明】
１、１Ａ、１Ｂ、１Ｃ、１Ｄ、１Ｅ：押し花飾、
２：額縁、              ３：アルミ箔、
４：樹脂フィルム層、    ５：接着剤や粘着剤、
６：剥離紙、
７、７Ａ、７Ｂ、７Ｃ：押し花飾用防湿シート、
８、８Ａ：台紙、        ９、９Ａ：押し花、
１０、１０Ａ、１０Ｂ：枠板、
１１、１１Ａ：透明板、  １２：しわ防止板、
１３：脱酸素剤、        １４：乾燥剤。
【図１】
2004330463.tif 000003
【図２】
2004330463.tif 000004
【図３】
2004330463.tif 000005
【図４】
2004330463.tif 000006
【図５】
2004330463.tif 000007
【図６】
2004330463.tif 000008
【図７】
2004330463.tif 000009
【図８】
2004330463.tif 000010
【図９】
2004330463.tif 000011
【図１０】
2004330463.tif 000012
【図１１】
2004330463.tif 000013
【図１２】
2004330463.tif 000014
【図１３】
2004330463.tif 000015
【図１４】
2004330463.tif 000016
【図１５】
2004330463.tif 000017
【図１６】
2004330463.tif 000018
【図１７】
2004330463.tif 000019
【図１８】
2004330463.tif 000020
【図１９】
2004330463.tif 000021
【図２０】
2004330463.tif 000022
【図２１】
2004330463.tif 000023
【図２２】
2004330463.tif 000024
【図２３】
2004330463.tif 000025
【図２４】
2004330463.tif 000026
【図２５】
2004330463.tif 000027
【図２６】
2004330463.tif 000028